(57)【特許請求の範囲】
【請求項１】
ベッド上面に中空の箱型形状のコラムを搭載し、このコラムの片側面に敷設した上下Ｙ軸方向のガイドレールに、サドルを上下移動可能に支持し、上記サドルには、前後Ｚ軸方向に敷設したガイドレールに主軸頭部が水平姿勢に支持し、更に、主軸頭部はその主軸先端側が開口部から外部へ突出して配置し、前後及び上下方向に位置制御されることを特徴とする横型工作機械のコラム装置。
【請求項２】
上記コラムは、ベッド上面に敷設したガイドレール上に、Ｘ軸方向に移動可能に搭載されていることを特徴とする請求項１記載の横型工作機械のコラム装置。
【発明の詳細な説明】
【０００１】
【発明の属する技術分野】
本発明は、横型工作機械において、主軸頭部をコラム片側面に水平姿勢に片支持し、上下Ｙ軸方向及び前後Ｚ軸方向に移動させるコラム装置の改良に関する。
【０００２】
【従来の技術】
従来、横型工作機械において、主軸頭部をコラム片側面に水平姿勢に片支持(横抱き)するコラム装置は、図３に示すように構成されている。即ち、ベッド１の上面に２本のＸ軸ガイドレール３，４が敷設され、これにコラム５が左右Ｘ軸方向に移動可能に搭載されていて、Ｘ軸送りモータ(図示なし)によって移動される。上記コラム５の片側面５Ａには、上下Ｙ軸方向に２本のＹ軸ガイドレール６，７が敷設され、これにサドル８が上下移動出来るように支持され、Ｙ軸送りモータＹＭと送りねじ９とにより、上下位置制御される。上記サドル８には、前後Ｚ軸方向に２本のＺ軸ガイドレール１０，１１が敷設されており、これに主軸１７を持つ主軸頭部１５が水平姿勢に支持されている。そして、図示しないＺ軸送りモータにより、主軸頭部が前後Ｚ軸方向に位置制御される。以上の構成により、横型工作機械２０のコラム装置３０が形成されている。尚、サドル８と主軸頭部１５との中間位置に、Ｙ軸重心Ｇが作用する。
【０００３】
上記横型工作機械２０のコラム装置３０によると、主軸頭部１５は、コラム片側面５Ａから大きくＸ軸横方向(図示の左側)へ突出している。このため、主軸中心位置Оは、コラム中心位置О１からのオフセット量(偏位量)Ｓが大きくなり、治具や加工ワークの取付位置をベッド１の中心位置から左側へ大きく移動した位置に変更しなければならない。従って、▲１▼ベッドのＸ軸方向となる横幅寸法が長くなり、複数台の工作機械を並べるライン対応機として不向きである。▲２▼また、コラムの片側(主軸側)に主軸頭部のＹ軸重心Ｇが偏位しており、且つコラム重量が大きいから、コラムの高速移動ができない。という多くの問題点がある。
【０００４】
【発明が解決しようとする課題】
本発明は、上記従来の横型工作機械のコラム装置に見られる問題点に鑑みてなされたものである。本発明の目的とするところは、コラムからの主軸のオフセット量を最小とすることで、コラムのコンパクト化と機械幅の縮小を図った横型工作機械のコラム装置を提供するものである。
【０００５】
【課題を解決するための手段】
本発明の請求項１の横型工作機械のコラム装置は、ベッド上面に中空の箱型形状のコラムを搭載し、このコラムの片側面に敷設した上下Ｙ軸方向のガイドレールに、サドルを上下移動可能に支持し、上記サドルには、前後Ｚ軸方向に敷設したガイドレールに主軸頭部が水平姿勢に支持し、更に、主軸頭部はその主軸先端側が開口部から外部へ突出して配置し、前後及び上下方向に位置制御されることを特徴とする。
【０００６】
請求項２の横型工作機械のコラム装置は、請求項１の横型工作機械のコラム装置において、上記コラムは、ベッド上面に敷設したガイドレール上に、Ｘ軸方向に移動可能に搭載されていることを特徴とする。
【０００７】
【作用】
上記請求項１のよると、ベッド上面に中空の箱型形状のコラムを搭載しており、このコラムの片側面(内壁面)に敷設した上下Ｙ軸方向のガイドレールに、サドルを上下移動可能に支持するとともに、このサドルに敷設した前後Ｚ軸方向のガイドレールに主軸頭部が水平姿勢に支持されている。
【０００８】
これにより、コラム左右幅の中心位置から主軸の回転中心位置までの距離(オフセット量)は、従来型のコラムよりも４分の１程度に狭められている。しかして、ベッドのＸ軸方向となる横幅寸法を狭くでき、複数台の工作機械を並べるライン対応機として好適である。また、コラムの中心位置付近に主軸頭部のＹ軸重心Ｇがほぼ一致しており、且つコラム重量が箱型構造で軽いから、コラムの高速移動が可能である。更に、主軸頭部の外側面に対面する空間が広く、この部分のメンテナンス性に優れている。
【０００９】
請求項２によると、請求項１の横型工作機械のコラム装置において、コラムは、ベッド上面に敷設したガイドレール上に、Ｘ軸方向に移動可能に搭載されているから、コラムをベッド幅近くまでＸ軸方向に最大限に移動でき、大物ワーク加工ができる。
【００１０】
しかして、従来型の横型工作機械よりも小型の横型工作機械により、大物ワーク加工が効率良く実施できる。
【００１１】
【発明の実施の形態】
以下、本発明を図面に示す実施形態により説明する。図１と図２において、横型工作機械４０は、ベッド１の上面に２本のＸ軸ガイドレール３，４が敷設されている。上記Ｘ軸ガイドレール３，４には、中空の箱型形状のコラム５１を左右Ｘ軸方向に移動可能に搭載され、Ｘ軸送りモータ(図示なし)によって移動される。上記コラム５１は、主壁柱５１Ｂと、副壁柱５１Ｃと、上記壁柱５１Ｂ，５１Ｃの基部間を連結する基台部５１Ｅと、上記壁柱５１Ｂ，５１Ｃの天部間を連結する天板部５１Ｄと、前壁及び後壁を開口して形成した前窓５１Ｆ及び後窓５１Ｇと、からなる。上記コラム５１における主壁柱５１Ｂの片側面５１Ａには、上下Ｙ軸方向に２本のＹ軸ガイドレール６，７が敷設され、これにサドル８が上下移動出来るように支持され、Ｙ軸送りモータＹＭと送りねじ９とにより、上下位置制御される。上記サドル８には、前後Ｚ軸方向に２本のＺ軸ガイドレール１０，１１が敷設されており、これに主軸１７を持つ主軸頭部１５が水平姿勢に支持されている。そして、図示しないＺ軸送りモータにより、主軸頭部が前後Ｚ軸方向に位置制御される。以上の構成により、横型工作機械４０のコラム装置５０が形成されている。
【００１２】
尚、サドル８と主軸頭部１５との中間位置に、Ｙ軸重心Ｇが作用する。上記横型工作機械４０の主軸頭部１５は、この主軸中心位置Оがコラム中心位置О１と接近し、Ｙ軸重心Ｇとも１つに重なり合っている。これにより、両部材のオフセット量(偏位量)Ｓが非常に少なくなって、コラムと主軸頭部１５とがバランスし、且つ治具や加工ワークの取付位置もベッド中央部付近に配置できる。
【００１３】
本発明の実施形態は、上記のように構成されており、以下のように作用する。横型工作機械４０のヘッド装置５０によると、ベッド上面に中空の箱型形状のコラム５１を搭載しており、このコラムの片側面(内壁面)５１Ａに敷設した上下Ｙ軸方向のガイドレール６，７に、サドル８を上下移動可能に支持するとともに、このサドルに敷設した前後Ｚ軸方向のガイドレール１０，１１に主軸頭部１５が水平姿勢に支持されている。
【００１４】
これにより、コラム左右幅の中心位置０１から主軸１７の回転中心位置０までの距離(オフセット量)Ｓは、従来型のコラムよりも４分の１程度に狭められている。従って、ベッド１のＸ軸方向となる横幅寸法を狭くでき、複数台の工作機械を並べるライン対応機として好適である。また、コラム５１の中心位置０１の付近に主軸頭部１５のＹ軸重心Ｇがほぼ一致しており、且つコラム重量が箱型構造で軽いから、コラムの高速移動が可能である。更に、主軸頭部１５の外側面に対面する空間が広く、この部分のメンテナンス性にも優れている。
【００１５】
そして、コラム５１は、ベッド上面に敷設したガイドレール３，４上に、Ｘ軸方向に移動可能に搭載されているから、コラムをベッド幅の両端近くまでＸ軸方向に最大限に移動でき、大物ワークの加工ができる。
【００１６】
本発明は、上記一実施形態に限定されない。例えば、コラム５１は、ベッド上面に敷設したガイドレール３，４を省略して直接ベッド上に固設し、Ｘ軸方向に移動不能に搭載させた形式の工作機械としてもよい。この実施形態による時は、コラム５１は不動であるから、機械幅やコラム幅を最小限に圧縮でき、複数台の工作機械を並べるライン対応機として最適である。
【００１７】
【発明の効果】
請求項１によると、ベッド上面に中空の箱型形状のコラムを搭載しており、このコラムの片側面(内壁面)に敷設した上下Ｙ軸方向のガイドレールに、サドルを上下移動可能に支持するとともに、このサドルに敷設した前後Ｚ軸方向のガイドレールに主軸頭部を水平姿勢に支持させたから、コラム左右幅の中心位置から主軸の回転中心位置までの距離(オフセット量)は、従来型のコラムよりも４分の１程度に狭めることができる。
【００１８】
かくして、ベッドのＸ軸方向となる横幅寸法を狭くでき、複数台の工作機械を並べるライン対応機として好適であり、また、コラムの中心位置付近に主軸頭部のＹ軸重心がほぼ一致しており、且つコラム重量が箱型構造で軽く、コラムの高速移動が可能である。更に、主軸頭部の外側面に対面する空間が広いので、この部分のメンテナンス性に優れている。
【００１９】
請求項２によると、コラムは、ベッド上面に敷設したガイドレール上に、Ｘ軸方向に移動可能に搭載されているから、コラムをベッド幅近くまでＸ軸方向に最大限に移動でき、従来型の横型工作機械よりも小型の横型工作機械により、大物ワーク加工が効率良く実施できる。
【図面の簡単な説明】
【図１】本発明の横型工作機械の正面図である。
【図２】本発明の要部となるコラムの斜視図である。
【図３】従来の横型工作機械の正面図である。
【符号の説明】
１                  ベッド
３，４              Ｘ軸ガイドレール
６，７              Ｙ軸ガイドレール
８                  サドル
９                  送りねじ
１０，１１          Ｚ軸ガイドレール
１５                主軸頭部
１７                主軸
４０                横型工作機械
５０                コラム装置
５１                コラム
５１Ａ              片側面
５１Ｂ              主壁柱
５１Ｃ              副壁柱
５１Ｄ              天板部
５１Ｅ              基台部
５１Ｆ              前窓
５１Ｇ              後窓
Ｇ                  Ｙ軸重心
Ｏ                  主軸中心位置
Ｏ１                コラム中心位置
Ｓ                  オフセット量(偏位量)
【図１】
0004514310.tif 000002
【図２】
0004514310.tif 000003
【図３】
0004514310.tif 000004